(57)【要約】      （修正有）【課題】緯糸を正確に捕捉することができるスライド・位置決め式緯糸捕捉装置を提供する。【解決手段】織機の緯糸捕捉端に設けられた枠形レール２００を含み、枠形レール２００の後側に枠形光学センサが設けられ、枠形レール２００の内側に４本のスライドスロットが設けられ、各スライドスロットにはモータによって駆動される二つのスライダーが設けられ、スライドスロット内の対向配置されたスライダーは平行する２本の金属ワイヤ１００によって対応して接続され、モータとスライダーは枠形光学センサに電気的に接続され、金属ワイヤ１００はモータにより回転駆動され、かつ相互に反対の方向に回転する。【選択図】図３
0003220562.tif 000002
【実用新案登録請求の範囲】
【請求項１】
織機の緯糸捕捉端に設けられた枠形レール（２００）を含み、
前記枠形レール（２００）の後側に枠形光学センサ（３００）が設けられ、前記枠形レール（２００）の内側に４本のスライドスロット（２２０）が設けられ、各スライドスロット（２２０）にはモータによって駆動される二つのスライダー（２１０）が設けられ、スライドスロット（２２０）内の対向配置されたスライダー（２１０）は平行する２本の金属ワイヤ（１００）によって対応して接続され、
前記モータとスライダー（２１０）は前記枠形光学センサ（３００）に電気的に接続され、
前記金属ワイヤ（１００）はモータにより回転駆動され、かつ相互に反対の方向に回転することを特徴とするスライド・位置決め式緯糸捕捉装置。
【請求項２】
垂直に交叉する金属ワイヤ（１００）の間の直線距離は０.１mmより大きいことを特徴とする請求項１に記載のスライド・位置決め式緯糸捕捉装置。
【請求項３】
前記金属ワイヤ（１００）の間に緯糸（１０）に合わせた環状溝（５０）が開設され、前記環状溝（５０）に対し粗面処理を行うことを特徴とする請求項２に記載のスライド・位置決め式緯糸捕捉装置。
【請求項４】
前記環状溝（５０）のアーチ形断面の弧度は３０°以上であることを特徴とする請求項２に記載のスライド・位置決め式緯糸捕捉装置。
【考案の詳細な説明】
【技術分野】
【０００１】
本考案は、紡織機械の分野に関し、特に、無杼織機に適用するスライド・位置決め式緯糸捕捉装置に関する。
【背景技術】
【０００２】
有杼織機は伝統的な織機を採用する。杼の体積が大きく、重く、繰り返して投射され、かつ、機器の振動が大きく、騒音が大きく、スピードが遅く、効率が低い。
【０００３】
無杼織機は有杼織機の後に誕生した新型の織機である。無杼織機は、軽く、振動が小さく、騒音が小さく、スピードが速く、効率が高いという利点を有し、速やかに織機の市場を占有した。無杼織機には、レピア織機、グリッパー織機、ウォータージェット織機、エアジェット織機などがある。そのうち、エアジェット織機の作業原理は以下の通りである。すなわち、媒質として空気を利用し、噴出された圧縮気流の緯糸に対する摩擦による牽引力で緯糸を牽引することにより、杼口を通過し、エアジェットによるジェット噴流で簡単に緯糸を牽引するという目的を達成する。しかしながら、緯糸を駆動する媒質、例えば水又は空気が飛行中に外界から影響を受けるので、緯糸が緯糸捕捉端を通過する度に、通過する位置が異なり、緯糸が緯糸捕捉装置から離脱し易くなる。
【考案の概要】
【考案が解決しようとする課題】
【０００４】
本考案は、上述の課題に鑑みてなされたものであり、その目的は、緯糸を正確に捕捉することができるスライド・位置決め式緯糸捕捉装置を提供することにある。
【課題を解決するための手段】
【０００５】
上述の課題を解決するために、本考案に係るスライド・位置決め式緯糸捕捉装置は、織機の緯糸捕捉端に設けられた枠形レールを含み、前記枠形レールの後側に枠形光学センサが設けられ、前記枠形レールの内側に４本のスライドスロットが設けられ、各スライドスロットにはモータによって駆動される二つのスライダーが設けられ、スライドスロット内の対向配置されたスライダーは平行する２本の金属ワイヤによって対応して接続され、前記モータとスライダーは前記枠形光学センサに電気的に接続され、前記金属ワイヤはモータにより回転駆動され、かつ相互に反対の方向に回転することを特徴とする。
【０００６】
本考案の好適な態様において、垂直に交叉する金属ワイヤの間の直線距離は０.１mmより大きい。
【０００７】
本考案の好適な態様において、前記金属ワイヤの間に緯糸に合わせた環状溝が開設され、前記環状溝に対し粗面処理を行う。
【０００８】
本考案の好適な態様において、前記環状溝のアーチ形断面の弧度は３０°以上である。
【０００９】
本考案は下記の効果を実現した。すなわち、枠形光学センサは緯糸がスライド・位置決め式緯糸捕捉装置を通過することを検出した後、モータを起動させ、スライダーは、枠形レールのエッジから互いに接近する方向へ速やかに移動するように平行する金属ワイヤを駆動し、なお、平行する４本の金属ワイヤにより囲まれた四辺形が徐々に小さくなるため、最後に緯糸を枠形レールの中心に限定し、同時に、互いに平行する金属ワイヤが相互に反対の方向に回転するため、緯糸をしっかり張ることができ、かつ緯糸の抜けを防止することができる。
【図面の簡単な説明】
【００１０】
【図１】本考案のスライド・位置決め式緯糸捕捉装置の右側面図である。
【図２】本考案のスライド・位置決め式緯糸捕捉装置の正面図である。
【図３】本考案のスライド・位置決め式緯糸捕捉装置の動作を示す概略図である。
【図４】本考案のスライド・位置決め式緯糸捕捉装置のマークＩの拡大図である。
【図５】本考案のスライド・位置決め式緯糸捕捉装置のマークＨの断面図である。
【考案を実施するための形態】
【００１１】
以下、本考案について図面と実施例を参照しながら説明する。
【００１２】
本実施例において、図１、図２、図４と図５を参照すると、本考案のスライド・位置決め式緯糸捕捉装置は、織機の緯糸捕捉端に設けられた枠形レール２００を含み、前記枠形レール２００の後側に枠形光学センサ３００が設けられ、前記枠形レール２００の内側に４本のスライドスロット２２０が設けられ、各スライドスロット２２０にはモータによって駆動される二つのスライダー２１０が設けられ、スライドスロット２２０内の対向配置されたスライダー２１０は平行する２本の金属ワイヤ１００によって対応して接続され、前記モータとスライダー２１０は前記枠形光学センサ３００に電気的に接続され、前記金属ワイヤ１００はモータにより回転駆動され、かつ相互に反対の方向に回転する。
【００１３】
前記スライド・位置決め式緯糸捕捉装置では、垂直に交叉する金属ワイヤ１００の間の直線距離は０.１mmより大きいことにより、垂直に交叉することによる摩耗を防止することができる。
【００１４】
前記スライド・位置決め式緯糸捕捉装置では、前記金属ワイヤ１００の間には緯糸１０に合わせた環状溝５０が開設され、前記環状溝５０に対し粗面処理を行うことにより、金属ワイヤ１００と緯糸１０の間の摩擦が増加し、緯糸１０の抜けを防止することができる。
【００１５】
前記スライド・位置決め式緯糸捕捉装置では、前記環状溝（５０）のアーチ形断面の弧度は３０°以上である。
【００１６】
前記吸気式緯糸捕捉装置は以下のように作動する。すなわち、図２と図４を参照すると、枠形光学センサ３００は緯糸１０がスライド・位置決め式緯糸捕捉装置を通過することを検出した後、モータを起動し、スライダー２１０は、枠形レール２００のエッジから互いに接近する方向へ速く移動するように平行する金属ワイヤ１００を駆動し、なお、平行する４本の金属ワイヤ１００により囲まれた四辺形が徐々に小さくなるため、最後に緯糸１０を枠形レールの中心に限定し、同時に、お互いに平行する金属ワイヤ１００が相互に反対の方向に回転するため、緯糸１０をしっかり張ることができ、かつ緯糸１０の抜けを防止することができる。
【００１７】
以上の内容は本考案の好適な実施例に過ぎず、本考案を限定するためのものではない。本考案の範囲から逸脱しない限り、本考案に対する様々な変更、均等な置換及び改善等は、本考案の実用新案登録請求の範囲に属するものとする。
【図１】
0003220562.tif 000003
【図２】
0003220562.tif 000004
【図３】
0003220562.tif 000005
【図４】
0003220562.tif 000006
【図５】
0003220562.tif 000007
【手続補正書】
【提出日】平成30年12月11日(2018.12.11)
【手続補正１】
【補正対象書類名】実用新案登録請求の範囲
【補正対象項目名】全文
【補正方法】変更
【補正の内容】
【実用新案登録請求の範囲】
【請求項１】
織機の緯糸捕捉端に設けられた枠形レール（２００）を含み、
前記枠形レール（２００）の後側に枠形光学センサ（３００）が設けられ、前記枠形レール（２００）の内側に４本のスライドスロット（２２０）が設けられ、各スライドスロット（２２０）にはモータによって駆動される二つのスライダー（２１０）が設けられ、各スライドスロット（２２０）内の対向配置されたスライダー（２１０）は金属ワイヤ（１００）によってそれぞれ対応して接続され、
前記モータとスライダー（２１０）は前記枠形光学センサ（３００）に電気的に接続され、
前記金属ワイヤ（１００）はモータにより回転駆動され、かつ相互に反対の方向に回転することを特徴とするスライド・位置決め式緯糸捕捉装置。
【請求項２】
前記金属ワイヤ（１００）は、平行する２本が垂直に交叉する２組からなる４本であり、垂直に交叉する２組の金属ワイヤ（１００）間の直線距離は０.１mmより大きいことを特徴とする請求項１に記載のスライド・位置決め式緯糸捕捉装置。
【請求項３】
前記金属ワイヤ（１００）のそれぞれには緯糸（１０）に合わせた環状溝（５０）が開設され、前記環状溝（５０）に対し粗面処理を行うことを特徴とする請求項２に記載のスライド・位置決め式緯糸捕捉装置。
【請求項４】
前記環状溝（５０）のアーチ形断面の弧度は３０°以上であることを特徴とする請求項３に記載のスライド・位置決め式緯糸捕捉装置。